(57)【要約】【課題】フィルタ交換時の前面パネルの着脱が容易になり、フィルタ交換等のメンテナンスがし易い空気調節機を提供する。【解決手段】ガラス基板を用いて構成された液晶表示部２０と、本体ケース１２の上部前方に形成され液晶表示部２０を装備した操作部１８と、操作部１８下方における本体ケース１２の正面に形成されたフィルタ収納部と、このフィルタ収納部に収納されたフィルタ２４と、本体ケース１２正面を覆って操作部１８の直下に着脱自在に取り付けられた前面パネル１０と、を備え、操作部１８は、少なくとも液晶表示部２０を装着した面が平坦であり、且つ後方へ往くほど高くなるように傾斜している。【選択図】図１
2016099036.tif 000002
【特許請求の範囲】
【請求項１】
ガラス基板を用いて構成された液晶表示部と、
本体ケースの上部前方に形成され前記液晶表示部を装備した操作部と、
前記操作部下方における前記本体ケースの正面に形成されたフィルタ収納部と、
前記フィルタ収納部に収納されたフィルタと、
前記本体ケース正面を覆って前記操作部の直下に着脱自在に取り付けられた前面パネルと、を備え、
前記操作部は、少なくとも液晶表示部を装着した面が平坦であり、且つ後方へ往くほど高くなるように傾斜している空気調節機。
【請求項２】
液晶表示部は、画面上にバー表示と数値表示とが可能である請求項１に記載の空気調節機。
【請求項３】
液晶表示部を装備した操作部は、仰角が１５度〜５０度の範囲で傾斜しており、本体ケースを接地した床面から前記操作部の頂部までの高さが５０〜１００ｃｍである請求項１又は２に記載の空気調節機。
【請求項４】
液晶表示部を装着する操作部が平坦であり、
前記液晶表示部を構成するガラス基板が１０ｃｍ×１５ｃｍ以下の面積である請求項３に記載の空気調節機。
【発明の詳細な説明】
【技術分野】
【０００１】
本発明は、加湿器、除湿機、空気清浄機等の空気調節機に関し、特に液晶表示部を備えた床置型の空気調節機に関する。
【背景技術】
【０００２】
空気調節機の一つである空気清浄機は、空気中の花粉やハウスダストなどを除去するために使用されている。その中でも、床置型の空気清浄機は、使用者の傍に置いて使用され、使用者の近傍を中心に空気環境を改善する。花粉、ハウスダスト、ＰＭ２．５（微粒子状物質）、湿度等の環境条件を各種のセンサで検知し、使用者が所望する空気環境になるように制御している。
【０００３】
床置型の空気調節機として、特開２００９−１０６９０８号公報（以下、特許文献１という）が開示されており、この特許文献１のように、床面と平行に配置された操作部に液晶表示部を設けた場合、液晶表示部で空気調節機の動作状態を詳細に表示したり、モード切り替え機能を用いて数多くの機能表示を行ったりすることができ、使い勝手が良い。使用者が空気調節機の傍に来て、床置きされた空気調節機の上方から液晶表示部を見下ろしながら操作部をする際には問題なく使用することができる。
【先行技術文献】
【特許文献】
【０００４】
【特許文献１】特開２００９−１０６９０８号公報
【発明の概要】
【発明が解決しようとする課題】
【０００５】
しかしながら、特許文献１のように、床面と平行な操作部に液晶表示部を設けた場合、使用者が少し離れた位置から空気調節機の動作状態を確認しようとすると、液晶表示部の画面表示が見にくいという問題があった。
これは、液晶表示部の画面表示の見え方に指向性があり、液晶表示部の表示面に対して垂直な方向（法線方向）から見ると鮮明に見えるが、傾斜方向から見ると見えにくくなるという現象に起因している。
【０００６】
本発明は、以上のような課題を解決するため鋭意検討した結果なされたものであり、使用者が機器の傍に寄って液晶表示部を見下ろしながら操作部を操作することが容易であり、且つ使用者が機器から離れた位置に居ても動作状態を確認し易い床置型の空気調節機を提供することを目的としている。
【課題を解決するための手段】
【０００７】
上記課題を解決するため、本発明に係る空気調節機の基本構成は、ガラス基板を用いて構成された液晶表示部と、本体ケースの上部前方に形成され前記液晶表示部を装備した操作部と、前記操作部下方における前記本体ケースの正面に形成されたフィルタ収納部と、前記フィルタ収納部に収納されたフィルタと、前記本体ケース正面を覆って前記操作部の直下に着脱自在に取り付けられた前面パネルと、を備え、前記操作部は、少なくとも液晶表示部を装着した面が平坦であり、且つ後方へ往くほど高くなるように傾斜している。
【０００８】
このようにすると、使用者が空気調節機の傍に寄って液晶表示部を見下ろしながら操作部を操作することが容易であり、且つ使用者が空気調節機から離れた位置に居ても、液晶表示部の表示を確認して、空気調節機の動作状態を把握することができる。
【０００９】
また、上記基本構成に加えて、液晶表示部は、画面上に複数のバー表示と、数値表示とが可能でものであってもよい。
【００１０】
また、上記構成に加えて、液晶表示部を装備した操作部は、仰角が１５度〜５０度の範囲で傾斜しており、本体ケースを接地した床面から前記操作部の頂部までの高さが５０〜１００ｃｍであってもよい。このようにすれば、使用者が本体ケースを床面に置いた状態で操作部を操作する場合、ほぼ垂直な方向から液晶表示部を見下ろしながら表示内容を確認することができ、操作部の操作が容易にできるだけでなく、使用者が空気調節機から離れていても、液晶表示部の表示を見て動作状態を確認することが可能になる。
【００１１】
或いは、上記構成に加えて、液晶表示部を装着する操作部が平坦であり、液晶表示部を構成するガラス基板が１０ｃｍ×１５ｃｍ以下の面積であってもよい。このようにすれば、液晶表示部を操作部に組込む時に機械的ストレスを受けにくく、液晶表示部が破損しにくい。
【発明の効果】
【００１２】
本発明の空気調節機によれば、使用者が空気調節機の傍に寄って液晶表示部を見下ろしながら操作部を操作することが容易であり、且つ使用者が空気調節機から離れた位置に居ても、液晶表示部の表示を確認して、空気調節機の動作状態を把握することができる。
【図面の簡単な説明】
【００１３】
【図１】本発明に係る空気調節機の前方斜視図である。
【図２】同空気調節機の背面斜視図である。
【図３】同空気調節機の前面パネルを正面方向から見た斜視図である。
【図４】同前面パネルを背面方向から見た斜視図である。
【図５】同前面パネルを背面方向から見た拡大斜視図である。
【図６】本発明に係る空気調節機の前面パネルを外した状態を示す斜視図である。
【図７】本発明に係る空気調節機の検知カバー付近の拡大図である。
【図８】同空気調節機の分解斜視図である。
【図９】同空気調節機の吹き出し口カバーが閉じているときの側面図である。
【図１０】同空気調節機の吹き出し口カバーが開いているときの側面図である。
【図１１】同空気調節機の内部ケースの背面図である。
【図１２】同空気調節機の機能ブロック図である。
【図１３】同空気調節機の液晶表示部の表示例である。
【発明を実施するための形態】
【００１４】
以下に本発明の好適な実施の形態について、図面を参照しながら説明する。なお、本実施形態は一例であり、これに限定されるものではない。
【００１５】
以下、本発明の実施形態に係る空気調節機１００について、図面を用いて説明する。
【００１６】
（全体構成）
図１および図２に示すように、空気調節機１００は、その正面に設けられた前面パネル１０と、空気調節機１００周辺の外気を取り込むための通気口１０ａと、前面パネル１０の下部に横長に形成された凹部１０ｂと、内部機構を収容する本体ケース１２と、本体ケース１２の側面に設けられた検知部カバー１４と、本体ケース１２の左右側面上方に設けられた把持部１２ａと、本体ケース１２の上部前方に設けられた操作部１８と、ガラス基板を用いて構成された液晶表示部２０と、内部で浄化した清浄空気を排出する吹き出し口１２ｂと、清浄空気の排出方向を変更する吹き出し口カバー２２からなる。そして、前面パネル１０は本体ケース１２の正面における操作部１８の下方に設けられ、吹き出し口１２ｂは本体ケース１２の上部後方に設けられ、吹き出し口カバー２２は吹き出し口１２ｂを覆うように設けられる。
【００１７】
（前面パネル）
図３に示すように、前面パネル１０を正面斜め上方向から見ると、前面パネル１０の下部に横方向に長い凹部１０ｂが在り、その凹部１０ｂの中央に凹部１０ｂの延在方向に沿って凸部１０ｃが設けられていることが視認できる。しかし、通気孔１０ａは凹部１０ｂの陰に隠れて見えない。
図４に示すように、前面パネル１０を背面斜め上方向から見ると、凸部１０ｃは横長に凹んで見え、凸部１０ｃを上下に挟んだ凹部１０ｂが前面パネル１０の裏面から背面方向に突出している。そして、横長の凹部１０ｂを成す凸部の上側に沿って並んだ多数の通気孔１０ａが視認される。
【００１８】
即ち、通気口１０ａは、凹部１０ｂ内の上側（操作部側）に形成されているので、使用者が床面に置いた空気調節機１００を上方から見下ろす時、凹部１０ｂの陰に隠れてその存在が見えない。凹部１０ｂの存在が視認できるが、前面パネル１０全体を同色にすれば、通気口１０ａや凹部１０ｂを設けたことによる凸凹は殆ど目立たない。
また、通気口１０ａを横長の凹部１０ｂ内の上側に沿って数多く設けることで、通気性を十分に確保することができる。更に、横長の凹部１０ｂの全域に亘って複数の通気孔１０ａを設けると、更に通気性を良くすることができる。また、横長の凹部１０ｂ内における上部側（操作部１８側）沿って横長に開口した通気孔１０ａを設けることでも、同様の作用効果が得られる。
【００１９】
図３に示すように、凹部１０ｂ内の中央に設けた横長の凸部１０ｃは、取っ手部としての機能を果たし、使用者が前面パネル１０を本体ケース１２に装着する際、凸部１０ｃを摘まんで前面パネル１０を上げ下げし易くしている。凸部１０ｃの頂部は、前面パネル１０の主表面と略同一の高さにし、凸部１０ｃが目立たないようにしている。
なお、凸部１０ｃの頂部を少し高くし、前面パネル１０の主表面より少し前方に突出させても構わない。この場合、意匠性を多少損なうが、使用者が凸部１０ｃをよりツマミ易くなり、前面パネル１０の装着がしやすくなる。
【００２０】
なお、本発明の実施形態に係る空気調節機１００の通気口１０ａは、前面パネル１０の下部に設けられているが、その構成に加えて前面パネル１０と本体ケース１２との間に隙間を設け、その隙間から外気を取り込むようにし、通気性を更に向上してもよい。
【００２１】
図４に示すように、前面パネル１０は、裏面下部の左右に第２の係止部１０ｄが形成されており、裏面上部の左右に第２の係合部１０ｅが形成されている。第２の係止部１０ｄおよび第２の係合部１０ｅは、前面パネル１０と一体に樹脂成型されており、第２の係合部１０ｅは前面パネル１０の裏面から後方に延びその先端部が上方に延びるように成形され、その先端部が根元の幅から先端に近づくほど幅細になっている。
【００２２】
（本体ケース）
図６は、前面パネル１０を外した状態を示す図であり、本体ケース１２は、側面板と、背面板と、底面板と、上面の一部とを、樹脂を用いて一体成型して構成されており、内部機構を格納する空間を有している。本体ケース１２の正面には第１のフィルタ２４が収納され、そのフィルタ２４を収納した領域（フィルタ収納部）を除外した本体ケース１２の下部に第１の係止部１２ｄが左右に形成されている。また、そのフィルタ収納部を除外した本体ケース１２の上部であって、操作部１８の下部に開口部１３ａが下向きに形成され、その開口部１３ａの外側の左右に上方に向かうほど間隔が狭くなるガイド部１３ｂが形成されている。本体ケース１２の左右側面には、把持部１２ａが前後方向に長い凹部状に形成され、その凹部内の上面にはリブ１２ｃが凹部の縁から２〜５ｍｍほど奥まった個所に凹部の縁と平行に形成されている。リブ１２ｃは、凹部の表面から１〜５ｍｍほど突出しており、滑り止めとして機能するので、本体ケースを樹脂で成形していても、使用者の手元が滑らず、空気調節機１００を持ち運び易くしている。
【００２３】
図６に示す本体ケース１２の２つの第１の係止部１２ｄは、本体ケース１２の一部を正面から後方に向かって窪ませており、図４に示す前面パネル１０の第２の係止部１０ｄと対応した位置に形成されている。
図６に示すように、操作部１８は、本体ケース１２の正面から前方に向かって突出しており、操作部１８の下部に在る２つの開口部１３ａは、本体ケース１２の正面と平行になるように下向きに開口され、図４に示す前面パネル１０の２つの第２の係合部１０ｅに対応した位置に形成される。そして、開口部１３ａと、その傍に形成されたガイド部１３ｂとで第１の係合部１３を構成している。
【００２４】
そして、前面パネル１０を本体ケース１２に装着する時には、使用者が前面パネル１０をほぼ垂直に近い状態に持って、前面パネル１０の第２の係合部１０ｅを本体ケース１２の開口部１２ｅに合うように、前面パネル１０を下方から上方に向かって上げて往く。その時、第２の係合部１０ｅと開口部１２ｅとの位置合わせがラフであっても、ガイド部１２ｆが第２の係合部１０ｅの先端を開口部１２ｅに向けて誘導するので、前面パネル１０の第２の係合部１０ｅを開口部１２ｅに容易に嵌め込むことができる。そして、第２係合部１２ｅが開口部１２ｅに嵌った状態で前面パネル１０を本体ケース１２側に押してゆけば、第１の係止部１２ｄと第２の係止部１０ｄとを係止することができる。
【００２５】
即ち、本体ケース１２の開口部１２ｅと前面パネル１０の第２の係合部１２ｅとの位置合わせがラフであっても、ガイド部１２ｆが第２の係合部１０ｅの先端を開口部１２ｅに向けて誘導するので、前面パネル１０を本体ケース１２の所定個所に容易に装着できる。
なお、上記実施形態では、ガイド部１２ｆを開口部１２ｅの外部に設けた事例で説明したが、ガイド部を開口部の内部に設けても良い。この場合でも、第２の係合部１０ｅの先端が開口部の中に入れば、第２の係合部の先端が開口部内のガイド部に従って誘導され、係合部を開口部内の所定の位置決めすることができ、上記実施形態と同様な作用効果が得られる。
【００２６】
（粒子検知部）
図７に示すように、検知部カバー１４は、開口部１４ａ、１４ｂが設けられる板状の部品であり、本体ケース１２の側面に形成される凹部１２ｃにはめ込まれるように取り付けられる。本体ケース１２の凹部１２ｃには開口窓１２ｇが設けられる。本体ケース１２の凹部１２ｃに対応した本体ケース１２の内部には粒子検知部１６が内蔵される。
【００２７】
そして、本体ケース１２の開口窓１２ｇと、検知部カバー１４の開口部１４ａ、１４ｂとは、内蔵された粒子検知部１６に外気を導入するために開口されており、特に、開口窓１２ｇは、粒子検知部１６の清掃や調整等のメンテナンスを容易にするために、検知部カバー１４の開口部１４ａよりも大きく開口される。また、粒子検知部１６の下部にヒータが配置されており、ヒータの加熱によって上昇気流を発生させ、開口部１４ａから粒子検知部１６内に外気を送り込み、粒子検知部１６から開口部１４ｂを経由して外部へ排気するようにして、粒子検知部１６内に供給される空気を常に入れ替えている。
【００２８】
粒子検知部１６は、図９に示すように、第１の粒子検知部１６ａと第２の粒子検知部１６ｂとで構成される。第１と第２の粒子検知部１６ａ、１６ｂは、検知可能な粒子の粒径が異なっており、例えば、第１の粒子検知部１６ａを粒径の小さなＰＭ２．５用にし、第２の粒子検知部１６ｂを粒径の大きな花粉用にしている。この構成によって、PM２．５のような粒径の小さな微粒子状の物質の検知と、より粒径の大きなホコリや花粉などの検知を精度よく行うことが可能となる。
なお、粒子検知部１６を格納する位置は、本発明に係る空気調節機１００では床面に近い本体ケース１２の下部に設けているが、検知する粒子の性質によっては、粒子検知部１６を床面より離れた位置に設けてもよい。
【００２９】
（操作部）
図１及び図８に示すように、操作部１８は、本体ケース１２の上部前方側に設けられ、本体ケース１２より突出している。操作部１８は、操作パネル１８ａと、操作パネル１８ａが配置される操作パネル枠体１８ｂと、操作パネル枠体１８ｂで覆われる基板カバー１８ｃと、液晶表示部２０が配置される制御基板１８ｄとから構成される。ガラス基板を用いて構成された液晶表示部２０は、あまり大きなものを使用すると、組立工程や使用状況に応じて操作部１８を構成するケーシングに与えられるストレスが起因して損傷したり、表示動作が不安定になる等の問題が生じたりし易くなる。
【００３０】
操作部１８は、後方に往くほど高くなるように、空気調節機１００を接地した床面に対して所定の角度を持たせて本体ケース１２の上部に設けられている。操作部１８には、液晶表示部２０以外にもタッチスイッチ（図示せず）等が形成されており、そのタッチスイッチの操作により、空気調節機１００の運転条件などを入力することができる。
【００３１】
空気調節機１００は、通常床面か、床面に近い低い位置に設置されるため、操作部１８を空気調節機１００の上部に設けることで、使用者の操作をし易くしている。かつ、操作部１８は少なくとも液晶表示部を装着する面を平坦なものを採用し、床面に対して所定の角度（仰角が１５度〜５０度の範囲）を持たせることで、使用者が空気調節機１００から離れた位置に居ても、操作部１８に設けられた液晶表示部２０の表示を容易に視認することができる。床置型の空気調節機のうちでも、本体ケースを接地した床面から操作部１８の頂部までの高さが５０〜１００ｃｍの範囲であれば、上述した作用効果が十分に得られる。更に、液晶表示部２０を構成するガラス基板が１０ｃｍ×１５ｃｍ以下の面積のものを用いると、より大きな効果が得られる。
【００３２】
（吹き出し口）
吹き出し口１２ｂは、本体ケース１２の上部後方側に設けられ、空気調節機１００内部で清浄化された清浄空気を排出する。吹き出し口１２ｂの上方近傍には、吹き出し口カバー２２が設けられる。吹き出し口カバー２２は回動可能に取り付けられていて、吹き出し口カバー２２の回転位置によって、吹き出し口１２ｂから排出される空気の流れを変えることができる。
【００３３】
例えば、吹き出し口カバー２２を閉じた図９の位置にある時は、ファン４０から上方へ放出される清浄空気が遮られ、矢印で示すように清浄空気の流れが空気調節機１００の後方へ偏向されて排出される。また、吹き出し口カバー２２を開放した図１０の位置にある時は、ファン４０から上方へ放出される清浄空気が吹き出し口カバー２２で遮られないため、矢印で示すように清浄空気が空気調節機１００の上方へ排出される。
【００３４】
（内部機構）
次に、本発明に係る空気調節機１００の内部機構について、図８および図１１を用いて説明する。
第１のフィルタ２４は、通気口１０ａから取り込まれた外部の空気が最初に通過するフィルタである。第１のフィルタ２４は、空気中に含まれる比較的大きなホコリを捕集するプレフィルタとして機能する。第１のフィルタの上下には２か所ずつ爪２４ａ〜２４ｄが設けられている。
【００３５】
第２のフィルタ２６は、第１のフィルタ２４を通過した空気が次に通過するフィルタである。このフィルタによって、空気中に含まれるＰＭ２．５などの微粒子状物質を捕集する。第２のフィルタ２６にはＨＥＰＡ（High Efficiency Particulate Air）フィルタを用いる。なお、微粒子状の物質を捕集する機能を有すフィルタであれば、ＨＥＰＡフィルタ以外のフィルタを用いることも可能である。
【００３６】
脱臭フィルタ２８は、第２のフィルタ２６を通過した空気が通過するフィルタである。第１のフィルタ２４、第２のフィルタ２６によって空気中のホコリや微粒子が捕集されるが、これらのフィルタで捕集できない化学物質、たとえば悪臭のようなものを捕集するものである。本発明に係る空気調節機１００は、脱臭フィルタ２８として活性炭を用いたフィルタを使用する。このフィルタに含まれる活性炭の含有量を調整することで、臭いの他にホルムアルデヒドなどの化学物質も、脱臭フィルタ２８に吸着させることが可能である。
【００３７】
内部ケース３０は、空気調節機１００の内部に設けられる。内部ケース３０は、スクロール流路板３０ａと、連通口３０ｂを有する仕切り板３０ｃと、を一体形成されたものである。仕切り板３０ｃは、本体ケース１２の内部空間を前後に分割するためのものであり、仕切り板３０ｃで仕切られた前面側の内部空間がフィルタ収納部の空間となる。仕切り板３０ｃで仕切られた背面側の内部空間にはモータ３８と、モータ３８の回転軸（図示せず）に連結されたファン４０とが配置される。
【００３８】
フィルタ収納部の空間には、前面パネル１０側から順番に第１のフィルタ２４、第２のフィルタ２６、脱臭フィルタ２８を重ねて収納している。内部ケース３０の上下には、第１のフィルタ２４の爪２４ａ〜２４ｄが挿入可能な凹部（図示せず）が設けられている。そして、その凹部に第１のフィルタ２４の爪２４ａ〜２４ｄを嵌め込んで、第１のフィルタ２４を内部ケース３０に装着することにより、内部ケース３０内に第１のフィルタ２４、第２のフィルタ２６、および脱臭フィルタ２８を保持することができる。
【００３９】
図１１に示すように、内部ケース３０で仕切られた背面側の内部空間には、ファン４０（図示せず）の流路を構成するスクロール流路板３０ａが形成され、その中央部に多数の連通口３０ｂが円環状に多数配列され、円環状に配列された連通口３０ｂに対応した位置の後方側にファン４０（図示せず）が据え付けられる。そして、仕切り板３０ｃ、スクロール流路板３０ａ、および本体ケース１２の背面板部でファン４０を包囲することによってシロッコファンが構成される。ファン４０（図示せず）は、円板状の回転板（図示せず）と、その回転板の周縁に沿って配列された複数の翼（図示せず）とで構成される多翼ファンである。モータ３８は、ファン４０の複数の翼で囲まれた空間内に格納され、モータ３８の回転軸（図示せず）はファン４０に連結され、ファン４０を回転駆動する。そして、仕切り板３０ｃに形成された連通口３０ｂは、シロッコファンの吸引口として機能する。
【００４０】
そして、空気調節機１００は、ファン４０が回転すると、空気調節機１００周辺の外気を前面パネル１０の通気口１０ａから吸込み、第１のフィルタ２４、第２のフィルタ２６、第３のフィルタ２８及び内部ケース３０の連通口３０ｂを経由して外部の空気を取り込みながら、取り込んだ空気を清浄化する。清浄化した空気は、ファン４０の回転によって回転力が与えられ、スクロール流路板３０ａで作られる流路に沿って流れる。これにより、清浄空気の渦気流がスクロール流路板３０ａで構成されるスクロール流路内で発生し、清浄空気は上方に在る吹き出し口１２ｂへと導かれ、外部へ排出される。
【００４１】
なお、本発明に係る空気調節機１００では、シロッコファンを用いているが、他の種類のファンを用いても構わない。また、モータ３８は、ＡＣモータ、ＤＣモータのどちらを使用しても構わないし、空気調節機１００の能力等によって選択すればよい。
【００４２】
イオン発生器３２は、消臭・除菌・防カビのため清浄化された空気にイオンを放出するものである。イオン発生器３２は、イオンを発生し外部へ放出するイオン放出部３２ａと、ＡＣ又はＤＣの高電圧を発生する電圧変換基板３２ｂと、イオン放出部３２ａと電圧変換基板３２ｂとを繋ぐケーブル３２ｃとから構成される。そして、イオン放出部３２ａは、スクロール流路板３０ａで囲まれた空間内の吹き出し口１２ｂ付近に取り付けられる。これにより、イオン発生器３２のイオン放出部３２ａから放出されるイオンが清浄空気と効率よく混合され、イオンを含んだ清浄空気を空気調節機１００の外部に送り出すことができる。
【００４３】
（回路動作）
図１２に示すように、制御基板１８ｄは、ガラス基板を用いて構成され回路の動作状態を表示する液晶表示部２０と、回路動作を制御する制御部３４と、液晶表示部２０を後ろから照らすバックライト４２と、回路を動作させる電源電圧を発生する電源部４４とが搭載される。制御部３４には粒子検知部１６からの検知信号が入力され、検知信号に基づいて液晶表示部２０に表示指示信号を出力する。液晶表示部２０は、ガラス基板を用いて構成され、表示指示信号に応じた表示内容を表示し、バックライト４２の光を受けて表示内容が見易くなるようにしている。
更に、操作部１８は、タッチスイッチ（図示せず）等が形成されており、タッチスイッチの操作により空気調節機１００の運転条件などを入力し、制御部３４に運転信号を出力する。制御部３４は、運転信号に基づいてモータドライバ３６に制御信号を出力する。
【００４４】
モータドライバ３６は、モータ３８に駆動信号を出力してモータ３８を回転駆動し、モータ３８に連結されたファン４０を回転駆動する。電源部４４は、空気調節機１００の外部から商用電源４６の交流電圧の供給を受け、その交流電圧を直流電圧へ変換して、制御部３４、モータドライバ３６、粒子検知部１６等に電力（又は直流電圧）を供給する。制御部３４は、電源部４４からの電力供給により回路動作する。
【００４５】
液晶表示部２０は、ガラス基板を用いて構成され、その裏面側に設けたバックライト４２の光を受けながら表示内容を表示し、暗い所においても容易に視認できるようにしてる。液晶表示部２０は、粒子検知部１６で検知した空気中の微粒子濃度の経時変化と、現在の空気中の微粒子濃度を表示するものである。空気調節機の表示例を図１３に示す。
本表示例では、ＰＭ２．５濃度の現時点での数値と、現在から過去２０分前までのＰＭ２．５濃度のデータを所定の時間間隔で記憶し、複数の棒グラフで表示してＰＭ２．５濃度の経時変化を示している。
【００４６】
なお、本表示例では分単位の経時変化を表示しているが、時単位であっても日単位であってもよく、これらの時間の表示モードを切り替えられるようにしてもよい。また、縦軸の数値表示や単位表示を状況に応じて変化させて、適切な表示になるように制御することも可能である。さらに、ＰＭ２．５よりも大きい粒径を持つ粒子の濃度を表示できるようにしてもよい。
このような液晶表示部２０を設けることによって、空気中に含まれるＰＭ２．５等の微粒子濃度の経時変化を複数のバー表示部で表示することが可能になり、空気調節機１００の動作を使用者に判り易くイメージで伝えることができる。また、ＰＭ２．５等の微粒子の今現在の濃度を数値で表示するため、空気の清浄度をより正確に知ることが可能となる。
【００４７】
なお、本発明は、上述した実施形態に限定されるものではなく、本発明の要旨を変えない範囲において、種々の変更、改変等が可能である。
【符号の説明】
【００４８】
１００    空気調節機
１０      前面パネル
１０ａ    通気口
１０ｂ    凹部
１０ｃ    凸部
１０ｄ    第２の係止部
１０ｅ    第２の係合部
１２      本体ケース
１２ａ    把持部
１２ｂ    吹き出し口
１２ｃ    凹部
１２ｄ    第１の係止部
１２ｇ    開口窓
１３      第１の係合部
１３ａ    開口部
１３ｂ    ガイド部
１４      検知部カバー
１４ａ    開口部
１４ｂ    開口部
１６      粒子検知部
１６ａ    第１の粒子検知部
１６ｂ    第２の粒子検知部
１８      操作部
１８ａ    操作パネル
１８ｂ    操作パネル枠体
１８ｃ    基板カバー
１８ｄ    基板
２０      液晶表示部
２２      吹き出し口カバー
２４      第１のフィルタ
２６      第２のフィルタ
２８      脱臭フィルタ
３０      内部ケース
３０ａ    スクロール流路板
３０ｂ    連通口
３０ｃ    仕切り板
３２      イオン発生器
３２ａ    イオン放出部
３２ｂ    電圧変換基板
３２ｃ    ケーブル
３４      制御部
３６      モータドライバ
３８      モータ
４０      ファン
４２      バックライト
４４      電源部
４６      商用電源
【図１】
2016099036.tif 000003
【図２】
2016099036.tif 000004
【図３】
2016099036.tif 000005
【図４】
2016099036.tif 000006
【図５】
2016099036.tif 000007
【図６】
2016099036.tif 000008
【図７】
2016099036.tif 000009
【図８】
2016099036.tif 000010
【図９】
2016099036.tif 000011
【図１０】
2016099036.tif 000012
【図１１】
2016099036.tif 000013
【図１２】
2016099036.tif 000014
【図１３】
2016099036.tif 000015